(57)【要約】【課題】扉枠に対して扉が閉まっているか、開いているかを容易に識別することができる施錠装置を提供する。【解決手段】施錠装置１０は、扉枠（筐体３）のラッチ受け部３ａに係合可能なラッチ２４を有して扉４に取り付けてある施錠本体２０と、発光表示部６５とを有する。施錠本体２０は、発光表示部６５の点灯を制御する制御部６３を有し、ラッチ２４とラッチ受け部３ａとの係合が解除されてラッチ２４が扉枠（筐体３）に接触した状態では、制御部６３によって発光表示部６５が点灯される。【選択図】図９
2019094645.tif 000002
【特許請求の範囲】
【請求項１】
扉枠のラッチ受け部に係合可能なラッチを有して扉に取り付けてある施錠本体と、発光表示部とを有し、
前記施錠本体は、前記発光表示部の点灯を制御する制御部を有し、前記ラッチと前記ラッチ受け部との係合が解除されて前記ラッチが前記扉枠に接触した状態では、前記制御部によって前記発光表示部が点灯される施錠装置。
【請求項２】
横方向と縦方向と前後方向とを有し、
前記施錠本体は、前記扉と前記扉枠との施錠状態および解錠状態を切り換える鍵を挿入する鍵穴を有し、
前記制御部および前記ラッチが位置する部分と、前記鍵穴が開口する部分とが前記前後方向において離れている請求項１に記載の施錠装置。
【請求項３】
前記施錠本体の前面には、前記前面を被覆する蓋体が位置し、
前記発光表示部は前記施錠本体が有し、
前記蓋体は点灯した前記発光表示部の光を透過する透過部を有する請求項１または２に記載の施錠装置。
【請求項４】
前記ラッチと前記ラッチ受け部とが係合して前記扉枠に対して前記扉が開かれるのを規制する施錠状態と、前記ラッチ受け部から前記ラッチが退行して前記扉枠に対して前記扉が開かれるのを許容する解錠状態とに切り換わるロック手段を有し、
前記ロック手段は、軸心を中心に旋回可能なロックレバーと、施錠状態において前記ロックレバーに接触する接触部とを有し、
前記ラッチは、前記接触部を有するとともに、前記ロックレバーが旋回するための空間となる凹部を有している請求項１〜３のいずれかに記載の施錠装置。
【発明の詳細な説明】
【技術分野】
【０００１】
本発明は、施錠装置に関する。
【背景技術】
【０００２】
従来、開口を有する 筐体（扉枠）と、筐体の開口を開閉し、ラッチを有する扉とを有するケーシングの中には、例えば、信号機の電子機器等を収容するものがある。筐体は、ラッチと係合するラッチ受け部を有している。ケーシングは、施錠状態では、筐体に対して扉が開かれるのを規制する一方、解錠状態では、筐体に対して扉が開かれるのを許容するロック手段を有している。
【０００３】
通常、ロック手段を施錠状態にして、信号機の電子機器が操作させるのを防止している。一方、信号機の保守または点検のときには、ロック手段を解錠状態にして、筐体に対して扉を開き、電子機器を操作している。
【発明の概要】
【発明が解決しようとする課題】
【０００４】
しかしながら、信号機の保守または点検作業が終了したとき、筐体の前面を扉で塞いだものの、筐体に対して扉が完全に閉じていない状態であると、ロック手段を施錠状態としても、信号機の電子機器が操作されるおそれがあった。
【０００５】
本発明が課題とするところは、扉枠に対して扉が閉まっているか、開いているかを容易に識別することができる施錠装置を提供することにある。
【課題を解決するための手段】
【０００６】
前記課題を解決するため、本発明は、扉枠のラッチ受け部に係合可能なラッチを有して扉に取り付けてある施錠本体と、発光表示部とを有し、前記施錠本体は、前記発光表示部の点灯を制御する制御部を有し、前記ラッチと前記ラッチ受け部との係合が解除されて前記ラッチが前記扉枠に接触した状態では、前記制御部によって前記発光表示部が点灯される施錠装置である。
【発明の効果】
【０００７】
本発明に係る施錠装置によれば、ラッチとラッチ受け部との係合が解除されてラッチが扉枠に接触した状態では、制御部によって発光表示部が点灯されるため、発光表示部を視れば、ラッチとラッチ受け部とが係合していないこと、および扉枠に対して扉が完全に閉じていないことが容易にわかる。
【図面の簡単な説明】
【０００８】
図面は、本開示に係る本発明の特定の実施の形態を示し、発明の不可欠な構成ばかりでなく、選択的及び好ましい実施の形態を含む。
【図１】本発明に係る施錠装置を有するケーシングの斜視図。
【図２】ケーシングが有する筐体の斜視図。
【図３】施錠装置の斜視図。
【図４】施錠装置の本体のみを示す斜視図。
【図５】本体が有する蓋体ベース部分の平面図。
【図６】筐体に対して扉が閉じている状態における施錠装置の要部の断面図。
【図７】施錠装置が有する表示回路の電気回路図。
【図８】ラッチの先端側の部分が本体から進出状態における本体の平面図。
【図９】図８に示す状態から、ラッチの先端側の部分が扉枠に当接することによって施錠本体の内部に退行を開始した状態における本体の平面図。
【図１０】図９に示す状態から、ラッチの先端側の部分が施錠本体の内部に退行した状態における本体の平面図。
【発明を実施するための形態】
【０００９】
添付の図面を参照し、本発明に係る施錠装置の詳細を説明すると、以下のとおりである。また、以下の実施形態は、本発明の欠くことのできない要件を含む他に、選択的に採用することのできる要件及び適宜に組み合わせることのできる要件を含んでいる。
【００１０】
図１は、本発明に係る施錠装置１０とケーシング１とを示す斜視図であり、図２は、ケーシング１が有する筐体３の斜視図である。図１における双頭矢印のＸ，Ｙ，Ｚは、ケーシング１および施錠装置１０における互いに交差（直交）する横方向Ｘと、縦方向Ｙと、前後方向Ｚとを示している。
【００１１】
ケーシング１は、直方体状であって、開口２を有する筐体（扉枠）３と、筐体３の前面に位置し、開口２を開閉する扉４とを有している。筐体３は、前方側に位置し、後述するラッチ２４に係合するラッチ受け部３ａを有している。ケーシング１の内部には、図示省略するが、信号機を統括的に制御する制御手段等を配置してある。
【００１２】
施錠装置１０は、前後方向において、扉４の前面に取り付けてある。施錠装置１０は、図３に示すように、施錠本体２０と、蓋体３０とを有している。
【００１３】
施錠本体２０は、図４に示すように、扉４の前面に位置する直方体状の本体ベース部分２１（図１参照）と、本体ベース部分２１の前方側に位置し、円柱状の後方鍵受容部分２２と、後方鍵受容部分２２の前端から前方側へ向けて突出し、径方向の寸法が後方鍵受容部分２２よりも小さい前方鍵受容部分２３とを有している。前方鍵受容部分２３は、鍵穴２５を有している。鍵穴２５は、前後方向へ延び、前後方向における最も前方側に位置する前面２９において開口している。筐体３および扉４は、鍵穴２５に挿入した鍵（不図示）を旋回操作することによって、ラッチ２４とラッチ受け部３ａとが係合して筐体３に対して扉４が開かれるのを規制する施錠状態と、ラッチ受け部３ａからラッチ２４が退行して筐体３に対して扉４が開かれるのを許容する解錠状態とに切り換わるロック手段５０を有している。
【００１４】
前方鍵受容部分２３は、本体ベース部分２１および後方鍵受容部分２２に対して、軸心２３ｘの周方向Ｒ（図８〜図１０参照）へ旋回可能な態様で、本体ベース部分２１および後方鍵受容部分２２に取り付けてある。前方鍵受容部分２３の後面側には、鍵穴２５に挿入した鍵（不図示）を旋回操作することによって、軸心２３ｘを中心に旋回するロックレバー２６を取り付けてある。ロックレバー２６は、ロック手段５０に含まれる。
【００１５】
ロックレバー２６は、図８〜図１０に示すように、中央に穴２６ｃを有するベース部分２６ａと、ベース部分２６ａから軸心２３ｘの径外方向へ延びる延出部分２６ｂとを有している。
【００１６】
施錠装置１０は、図７に示す表示回路６０を有している。表示回路６０は、電源６１と、制御部６３と、発光表示部６５と、電気抵抗６７とを有している。電源６１と制御部６３とは導線６２で接続されている。制御部６３と発光表示部６５とは導線６４で接続されている。発光表示部６５と電気抵抗６７は導線６６で接続されている。電気抵抗６７と電源６１とは導線６８で接続されている。電源６１は、発光表示部６５に電圧を印加するものであって、例えば、電池である。なお、電源６１は、電池に限られず、他のものを使用してもよい。制御部６３は、例えばマイクロスイッチであり、制御部本体６３ｂと、制御部本体６３ｂから延出するレバー６３ａと、制御部本体６３ｂからレバー６３ａへ突出する押ボタン６３ｃとを有している。なお、制御部６３は、マイクロスイッチに限られず、他のものを使用してもよい。発光表示部６５は、例えば、発光ダイオードである。なお、発光表示部６５は、発光ダイオードに限られず、他のものを使用してもよい。
【００１７】
本体ベース部分２１は、扉４に取り付けられ、横方向において、本体ベース部分２１の側面から進退可能なラッチ２４を有している。ラッチ２４は、厚さ方向の前面側が平坦な第１平坦部２４ｂと第２平坦部２４ｃとを有している。ラッチ２４の横方向における第１平坦部２４ｂと第２平坦部２４ｃとの間には、前面側から後面側へ向けて凹む凹部２４ｄが位置している。また、ラッチ２４の第１平坦部２４ｂは、横方向へ延びる延出部位２８ｂを有している。
【００１８】
ラッチ２４と本体ベース部分２１との間には、図６に示すように、第１凸部７１ａと第１凹部７１ｂとで構成され、本体ベース部分２１に対してラッチ２４が横方向のみにスライド移動するガイド手段７１を設けてある。この実施形態では、第１凸部７１ａを本体ベース部分２１の前面に配置してある一方、第１凹部７１ｂをラッチ２４の後面に配置してある。なお、これらの第１凸部および第１凹部を逆に配置してもよい。
【００１９】
第１凹部７１ｂは、横方向へ延びるように形成してあり、第１凹部７１ｂの内部に、第１付勢部材１１が位置している。第１付勢部材１１は、ラッチ２４の先端側の部分２４ａが本体ベース部分２１の内部から突出するように付勢するものである。本実施形態では、第１付勢部材１１にコイルばねを用いてある。第１付勢部材１１の付勢力に抗してラッチ２４を本体ベース部分２１の内部側へ押すと、ラッチ２４が退行し、ラッチ２４の先端側の部分２４ａが本体ベース部分２１の内部に入る（図１０参照（図１０において、実線で示す位置がラッチ２４の先端側の部分２４ａが本体ベース部分２１の内部に入った状態であり、仮想線で示す位置がラッチ２４の先端側の部分２４ａが本体ベース部分２１の内部から進出した状態である））。
【００２０】
後方鍵受容部分２２の前端は、図４に示すように、前後方向へ延びるネジ孔２２ａを一対有しているとともに、前後方向へ延びる貫通穴２２ｂを有している。この貫通穴２２ｂには、図６に示すように、導線６４と発光表示部６５の一部と電気抵抗６７と導線６８とを配置してある。このため、本体ベース部分２１の内部空間に、表示回路６０のすべての部品を配置する必要がなくなるため、本体ベース部分２１の前後方向の大きさが無駄に大きくなることを抑え、施錠装置１０を小型にできる。また、後方鍵受容部分２２の貫通穴２２ｂに、表示回路６０の一部の部品を配置しているため、制御部６３およびラッチ２４が位置する部分と、鍵穴２５が開口する部分とを前後方向へ離すことができ、鍵穴２５へ鍵を挿入する操作の際に、施錠本体２０が邪魔になることがない。しかも、貫通穴２２ｂに表示回路６０の一部の部品を配置して発光表示部６５を前面側に位置させることが可能となるため、発光表示部６５の視認性を向上することができる。
【００２１】
後方鍵受容部分２２と、蓋体３０との間には、施錠本体２０と蓋体３０とが、相対的に径方向および周方向へ回転するのを防止する凹部２２ｃと、凹部２２ｃに係合する凸部（不図示）とによって形成された回転防止手段２７を有している。この実施形態の例では、後方鍵受容部分２２に凹部２２ｃを形成し、蓋体３０に凸部を形成してあるがこの逆でもよい。
【００２２】
蓋体３０は、図３に示すように、施錠本体２０の後方鍵受容部分２２の前方側および前方鍵受容部分２３の径方向の外側を被覆する蓋体ベース部分３１と、蓋体ベース部分３１に対して移動可能な蓋部分３２と、蓋体ベース部分３１と蓋部分３２とを移動可能に連結し、横方向へ延びる軸部分３３と、蓋体ベース部分３１と蓋部分３２との間に位置し、ロック状態では、蓋体ベース部分３１に対して蓋部分３２が移動するのを規制する一方、アンロック状態では、蓋体ベース部分３１に対して蓋部分３２が移動するのを許容する施錠手段３４とを有している。施錠手段３４は、不図示の鍵と、鍵を挿入可能な鍵孔３４ａと、係合爪３４ｂと、係合爪３４ｂと係合可能な係合孔３４ｃとによって構成され、鍵を鍵孔３４ａに挿入することよってロック状態とアンロック状態とに切り替わる。
【００２３】
蓋体ベース部分３１は、図５に示すように、第１貫通孔３１ａと第２貫通孔３１ｂと第３貫通孔３１ｃと第４貫通孔３１ｄとを有している。第１貫通孔３１ａは、縦方向および横方向の中央に位置し、施錠本体２０の前方鍵受容部分２３が前後方向へ貫通する大きさを有している。第２貫通孔３１ｂと第３貫通孔３１ｃは、第１貫通孔３１ａの周囲に配置してあり、ネジ５１（図３参照）が前後方向へ貫通する大きさを有している。第２貫通孔３１ｂに先端を挿入したネジ５１をネジ孔２２ａに螺合させるとともに、第３貫通孔３１ｃに先端を挿入したネジをネジ孔２２ａに螺合させることによって、施錠本体２０に蓋体３０を固定する。第４貫通孔３１ｄは、第１貫通孔３１ａの周囲に配置してあり、発光表示部６５の一部を配置可能な大きさを有している。第４貫通孔３１ｄは、円形に形成してあり、本実施形態では、第４貫通孔３１ｄの上端から発光表示部６５の一部が突出している。
【００２４】
蓋部分３２は、施錠本体２０の前方鍵受容部分２３の前面２９と鍵穴２５、および蓋体ベース部分３１の前面を被覆する大きさを有している。蓋部分３２は、貫通穴７３と、貫通穴７３を充填し、透光性の合成樹脂で形成されたカバー（透過部）７２とを有している。貫通穴７３は、図６に示すように、蓋体ベース部分３１に対して蓋部分３２を閉じた状態において、発光表示部６５の前方に位置している。
【００２５】
次に、施錠装置１０の作用を説明する。
【００２６】
図６および図８に示すように、ラッチ２４とラッチ受け部３ａとが係合し、筐体３に対して扉４が閉まった状態においては、ラッチ２４の先端側の部分２４ａが、ラッチ受け部３ａの周縁の筐体３に接触しておらず、第１付勢部材１１の付勢力によって、ラッチ２４の先端側の部分２４ａが、本体（本体ベース部分２１）の内部から進出している。この状態では、図８に示すように、制御部６３のレバー６３ａの基端部位に、ラッチ２４の延出部位２８ｂが接触しているが、レバー６３ａによって押ボタン６３ｃが押下操作されていないため、電源６１の電圧は発光表示部６５に印加されず、発光表示部６５は消灯している。
【００２７】
この状態から、蓋部分３２を蓋体ベース部分３１に対して開いた後、鍵穴２５に鍵を挿入して鍵を旋回操作すると、鍵の旋回とともにロックレバー２６も旋回（図８において、軸心２３ｘを中心に回転方向Ｒにおける時計回り方向へ旋回）し、ロックレバー２６の旋回によってロックレバー２６の延出部分２６ｂが第２平坦部２４ｃに接触し、図９に示すように、第１付勢部材１１の付勢力に抗して、ラッチ２４が施錠本体２０（本体ベース部分２１）の内部に退行する。このラッチ２４の横方向の移動によって、ラッチ２４の延出部位２８ｂが制御部６３のレバー６３ａの先端側の部分に接触し、レバー６３ａを介して押ボタン６３ｃが押下操作される。この押ボタン６３ｃの押下操作によって、表示回路６０が閉回路となり、電源６１の電圧が発光表示部６５に印加され、発光表示部６５が点灯する。より具体的に説明すると、ラッチ２４の先端側の部分２４ａが閾値Ｌ１以上、施錠本体２０の内部に退行すると、発光表示部６５が点灯する。この実施形態では、閾値Ｌ１は、例えば３ｍｍ以上である。
【００２８】
その後、鍵の旋回操作を継続し、図１０に示すように、ラッチ２４の先端側の部分２４ａを施錠本体（本体ベース部分２１）の内部に完全に退行させた状態（本体ベース部分２１の外部からラッチ２４の先端側の部分２４ａが突出しない状態）になると、ラッチ２４の先端側の部分２４ａがラッチ受け部３ａの周縁に位置する筐体３を乗り越えることが可能となる。この状態でも、ラッチ２４の延出部位２８ｂが制御部６３のレバー６３ａの先端側の部分に接触し、レバー６３ａを介して押ボタン６３ｃの押下操作が継続される。よって、発光表示部６５の点灯が継続する。より具体的に説明すると、ラッチ２４の先端側の部分２４ａが完全に退行した状態とは、ラッチ２４に外部から力が加えられていない状態から横方向へ寸法Ｌ２移動した状態をいう。この実施形態では、横方向の寸法Ｌ２は、例えば１０ｍｍ以上である。
【００２９】
また、この状態では、ラッチ受け部３ａからラッチ２４が退行して筐体（扉枠）３に対して扉４が開かれるのを許容する解錠状態になっているため、筐体３に対して扉４を開くことが可能である。そこで、ラッチ２４の先端側の部分２４ａを、ラッチ受け部３ａの周縁に位置する筐体３を乗り越えさせ、筐体３に対して扉４を開く。すると、第１付勢部材１１の付勢力によって、ラッチ２４の先端側の部分２４ａが本体ベース部分２１の内部から進出する。すると、制御部６３のレバー６３ａの基端部位のみに、ラッチ２４の延出部位２８ｂが接触し、レバー６３ａによって押ボタン６３ｃが押下操作されていないため、電源６１の電圧は発光表示部６５に印加されず、発光表示部６５は消灯する。また、ラッチ２４の進出によって、ロックレバー２６が旋回（図１０において、軸心２３ｘを中心に回転方向Ｒにおける反時計回り方向へ旋回）する。
【００３０】
その後、筐体３に対して扉４を閉めるとき、ラッチ２４の先端側の部分２４ａが、ラッチ受け部３ａの周縁の筐体３に接触し、ラッチ２４の先端側の部分２４ａが本体ベース部分２１の内部へ閾値Ｌ１以上退行すると、上記と同様、発光表示部６５が点灯する。その後、筐体３に対して扉４の閉操作を継続し、ラッチ２４と、ラッチ受け部３ａとが係合し、筐体３に対して扉４が閉じると、ラッチ２４の先端側の部分２４ａが、本体ベース部分２１の内部から進出し、上記と同様、発光表示部６５が消灯する。
【００３１】
よって、ラッチ２４とラッチ受け部３ａとの係合が解除されてラッチ２４が筐体３に接触した状態では、制御部６３によって発光表示部６５が点灯するため、発光表示部６５を視れば、ラッチ２４とラッチ受け部３ａとが係合していないこと、および筐体３に対して扉４が完全に閉じていないことが容易にわかる。
【００３２】
また、施錠本体２０の前面２９には、前面２９を被覆する蓋体（蓋部分３２）が位置し、発光表示部６５は施錠本体２０が有し、蓋体（蓋部分３２）は点灯した発光表示部６５の光を透過するカバー（透過部）７２を有する。このため、前面２９が蓋（蓋部分３２）によって覆われた状態では、発光表示部６５が、蓋体（蓋部分３２）およびカバー（透過部）７２によって覆われるため、異物に発光表示部６５が当たって発光表示部６５が損傷することを防止することができる。
【００３３】
さらに、ラッチ２４は、ロックレバー２６が旋回するための空間となる凹部２４ｄを有している。このため、施錠装置１０が前後方向へ大きくなることを抑え、小型にすることができる。
【００３４】
また、ロック手段５０の鍵穴２５の前面を蓋体３０（蓋部分３２）が被覆する。このため、蓋体３０の鍵孔３４ａに挿入した鍵を操作することによって、施錠本体２０に対して蓋体３０（蓋部分３２）を開いて鍵穴２５を前面に露出させた後、鍵穴２５に挿入した鍵を操作しなければ、筐体３に対して扉４を開くことができない。従って、筐体３に対して扉４を開くためには、異なる２つの鍵が必要であるため、防盗性を向上させることができる。
【００３５】
さらに、上述した実施形態では、蓋体ベース部分３１と蓋部分３２との間に軸部分３３が位置し、蓋体ベース部分３１に対して蓋部分３２が軸部分３３を中心に、前後方向へ旋回する施錠装置１０を説明した。しかしながら、本発明は、この実施形態に限られず、横方向または縦方向のいずれか一方に、蓋体ベース部分３１に対して蓋部分３２がスライド移動してもよいし、横方向および縦方向に傾斜する方向に、蓋体ベース部分３１に対して蓋部分３２がスライド移動してもよいし、横方向および縦方向を含む平面において、蓋体ベース部分３１と蓋部分３２との間に位置し、前後方向へ延びる軸部分を中心に、蓋体ベース部分３１に対して蓋部分３２がスライド移動してもよい。
【００３６】
また、筐体３と扉４との間において、例えば、筐体３側に、雨水等の異物がケーシング１の内部に入ることを防止するパッキンを配置してもよい。パッキンが配置されている場合には、力を加えて扉４を閉じる必要があり、扉４が完全に閉まらないときがあるが、本発明に係る施錠装置１０を使用すれば、扉４の状態が容易に分かる。
【００３７】
さらに、上述した実施形態では、筐体３と扉４とを有するケーシング１を例として施錠装置１０を説明した。しかしながら本発明はそれに限られず、筐体３に代えて扉枠と、筐体本体とによって筐体を構成し、扉枠がラッチ受け部を有してもよい。
【００３８】
また、上述した実施形態では、信号機の電子機器を収容するケーシング１の施錠装置１０を説明した。しかし、この発明はそれに限られず、施錠装置１０を、他の機器を収容するケーシングの扉に使用してもよい。
【００３９】
さらに、上述した実施形態では、本体ベース部分２１に形成した開口２１ａに導線６２，６８を通過させ、電源６１と発光表示部６５とを電気的に接続する施錠装置１０を説明した。しかし、この発明はそれに限られず、本体ベース部分２１の後面に開口を形成し、該開口に導線を通過させ、電源と発光表示部とを電気的に接続してもよい。
【００４０】
また、上述した実施形態では、施錠本体２０と蓋体３０とを接触させる施錠装置１０を説明した。しかし、この発明はそれに限られず、ゴム等の弾性材料で形成された緩衝部材を施錠本体２０と蓋体３０との間に位置させてもよい。
【００４１】
これまでに説明した本発明は、少なくとも以下のように整理することができる。施錠装置１０は、筐体（扉枠）３のラッチ受け部３ａに係合可能なラッチ２４を有して扉４に取り付けてある施錠本体２０と、発光表示部６５とを有し、施錠本体２０は、発光表示部６５の点灯を制御する制御部６３を有し、ラッチ２４とラッチ受け部３ａとの係合が解除されてラッチ２４が筐体（扉枠）３に接触した状態では、制御部６３によって発光表示部６５が点灯される。
【００４２】
また、本発明には、少なくとも以下の実施態様がある。
（１）横方向Ｘと縦方向Ｙと前後方向Ｚとを有し、施錠本体２０は、扉４と筐体（扉枠）３との施錠状態および解錠状態を切り換える鍵を挿入する鍵穴２５を有し、制御部６３およびラッチ２４が位置する部分と、鍵穴２５が開口する部分とが前後方向Ｚにおいて離れている。
（２）施錠本体２０の前面２９には、前面２９を被覆する蓋体（蓋部分３２）が位置し、発光表示部６５は施錠本体２０が有し、蓋体（蓋部分３２）は点灯した発光表示部６５の光を透過するカバー（透過部）７２を有する。
（３）ラッチ２４とラッチ受け部３ａとが係合して筐体（扉枠）３に対して扉４が開かれるのを規制する施錠状態と、ラッチ受け部３ａからラッチ２４が退行して筐体（扉枠）３に対して扉４が開かれるのを許容する解錠状態とに切り換わるロック手段５０を有し、ロック手段５０は、軸心２３ｘを中心に旋回可能なロックレバー２６と、施錠状態においてロックレバー２６に接触する第２平坦部（接触部）２４ｃとを有し、ラッチ２４は、第２平坦部（接触部）２４ｃを有するとともに、ロックレバー２６が旋回するための空間となる凹部２４ｄを有している。
【符号の説明】
【００４３】
３      筐体（扉枠）
３ａ    ラッチ受け部
４      扉
１０    施錠装置
２０    施錠本体
２３ｘ  軸心
２４    ラッチ
２４ｃ  第２平坦部（接触部）
２４ｄ  凹部
２６    ロックレバー
２９    前面
３０    蓋体
３２    蓋部分
５０    ロック手段
６３    制御部（スイッチ）
６５    発光表示部
【図１】
2019094645.tif 000003
【図２】
2019094645.tif 000004
【図３】
2019094645.tif 000005
【図４】
2019094645.tif 000006
【図５】
2019094645.tif 000007
【図６】
2019094645.tif 000008
【図７】
2019094645.tif 000009
【図８】
2019094645.tif 000010
【図９】
2019094645.tif 000011
【図１０】
2019094645.tif 000012